【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
外部アクセスポイントに接続し、前記外部アクセスポイントを介して通信を行う無線クライアントとして通信装置を機能させる第１通信機能と、端末装置と直接無線通信を行う第２通信機能と、を備える通信装置であって、
前記無線クライアントに関する設定変更を外部から受信する設定サービスの利用要求を受け付けた場合に、前記第１通信機能で所定タイプのデータ通信が行われているか否かを判定する第１の判定手段と、
前記第１の判定手段によって前記第１通信機能で前記所定タイプのデータ通信が行われていると判定された後に、前記設定サービスが一時利用不可状態であることを示す第１情報を前記直接無線通信を確立している前記端末装置に対して送信し、前記第１の判定手段によって前記第１通信機能で前記所定タイプのデータ通信が行われていないと判定された後に、前記設定サービスが利用できることを示す第２情報を前記直接無線通信を確立している前記端末装置に送信する送信手段と、
前記第１情報を前記端末装置に送信した後に前記端末装置から前記設定サービスの起動に関する第３情報を受信した場合に、前記設定サービスを起動する起動手段と、を有し、
前記起動手段により起動された前記設定サービスは、前記直接無線通信を介して前記端末装置から接続情報を受信し、前記通信装置は、当該設定サービスによって受信した接続情報を用いて前記無線クライアントが接続する外部アクセスポイントを変更することを特徴とする通信装置。
【請求項２】
前記第１の判定手段によって前記第１通信機能で前記所定タイプのデータ通信が行われていると判定された後に、前記所定タイプのデータ通信が終了したか否かを判定する第２の判定手段を更に有し、
前記第２の判定手段によって前記所定タイプのデータ通信が終了したと判定された場合、前記送信手段は、前記第２情報を前記直接無線通信を確立している前記端末装置に送信することを特徴とする請求項１に記載の通信装置。
【請求項３】
前記第２の判定手段によって前記所定タイプのデータ通信が終了したと判定された場合、前記起動手段は、前記設定サービスを起動することを特徴とする請求項２に記載の通信装置。
【請求項４】
前記第３情報には、前記第１通信機能に関するデータ通信を強制的に切断する切断操作を引き起こすための情報が含まれていることを特徴とする請求項１乃至３のいずれか１項に記載の通信装置。
【請求項５】
前記設定サービスを起動する前に、前記第１通信機能で新たな接続が行われないように、前記第１通信機能に関する動作設定を変更する変更手段を更に有することを特徴とする請求項１乃至４のいずれか１項に記載の通信装置。
【請求項６】
前記通信装置は、前記利用要求を操作部に表示された画面を介して受け付けることを特徴とする請求項１乃至５のいずれか１項に記載の通信装置。
【請求項７】
前記通信装置は、印刷装置であることを特徴とする請求項１乃至６のいずれか１項に記載の通信装置。
【請求項８】
前記所定タイプのデータ通信は前記通信装置が印刷データを受信するデータ通信を含むことを特徴とする請求項７に記載の通信装置。
【請求項９】
前記第２通信機能は、前記通信装置をアクセスポイントとして機能させ、当該アクセスポイントを介して端末装置と直接無線通信を行う通信機能であることを特徴とする請求項１乃至８のいずれか１項に記載の通信装置。
【請求項１０】
外部アクセスポイントに接続し、前記外部アクセスポイントを介して通信を行う無線クライアントとして通信装置を機能させる第１通信機能と、外部の通信装置と直接無線通信を行う第２通信機能とを有する第１の通信装置と、前記第１の通信装置が提供する前記第２通信機能を用いて前記第１の通信装置と直接無線通信を行う第２の通信装置と、を有する通信システムであって、
前記第１の通信装置は、
前記無線クライアントに関する設定変更を外部から受信する設定サービスの利用要求を受け付けた場合に、前記第１通信機能で所定タイプのデータ通信が行われているか否かを判定する判定手段と、
前記判定手段によって前記第１通信機能で前記所定タイプのデータ通信が行われていると判定された後に、前記設定サービスが一時利用不可状態であることを示す第１情報を前記直接無線通信を確立している前記第２の通信装置に対して送信し、前記判定手段によって前記第１通信機能で前記所定タイプのデータ通信が行われていないと判定された後に、前記設定サービスが利用できることを示す第２情報を前記直接無線通信を確立している前記第２の通信装置に送信する第１の送信手段と、
前記判定手段によって前記第１通信機能で前記所定タイプのデータ通信が行われていないと判定された場合に、前記設定サービスを起動する起動手段と、を有し、
前記第２の通信装置は、
前記第１の通信装置から前記直接無線通信を介して前記第１情報を受信した場合、前記設定サービスの利用ができないことを示す情報を表示する一方、前記第１の通信装置から前記直接無線通信を介して前記第２情報を受信した場合、前記設定サービスの利用ができることを示す情報を表示する表示手段を有することを特徴とする通信システム。
【請求項１１】
前記第２の通信装置の前記表示手段は、前記第１情報を受信した場合、前記設定サービスを起動する操作を受け付けるための表示アイテムを表示することを特徴とする請求項１０に記載の通信システム。
【請求項１２】
前記第２の通信装置は、前記表示アイテムを選択するユーザ操作を受け付けた場合に、前記直接無線通信を介して前記設定サービスの起動に関する第３情報を、前記第１の通信装置に対して送信する第２の送信手段を更に有し、
前記第１の通信装置の前記起動手段は、前記第２の通信装置から前記第３情報を受信した場合に、前記設定サービスを起動することを特徴とする請求項１１に記載の通信システム。
【請求項１３】
外部アクセスポイントに接続し、前記外部アクセスポイントを介して通信を行う無線クライアントとして通信装置を機能させる第１通信機能と、端末装置と直接無線通信を行う第２通信機能と、を備える通信装置が実行する情報処理方法であって、
前記無線クライアントに関する設定変更を外部から受信する設定サービスの利用要求を受け付けた場合に、前記第１通信機能で所定タイプのデータ通信が行われているか否かを判定する判定工程と、
前記判定工程によって前記第１通信機能で前記所定タイプのデータ通信が行われていると判定された後に、前記設定サービスが一時利用不可状態であることを示す第１情報を前記直接無線通信を確立している前記端末装置に対して送信し、前記判定工程によって前記第１通信機能で前記所定タイプのデータ通信が行われていないと判定された後に、前記設定サービスが利用できることを示す第２情報を前記直接無線通信を確立している前記端末装置に送信する送信工程と、
前記第１情報を前記端末装置に送信した後に前記端末装置から前記設定サービスの起動に関する第３情報を受信した場合に、前記設定サービスを起動する起動工程と、を有し、
前記起動工程により起動された前記設定サービスは、前記直接無線通信を介して前記端末装置から接続情報を受信し、前記通信装置は、当該設定サービスによって受信した接続情報を用いて前記無線クライアントが接続する外部アクセスポイントを変更することを特徴とする情報処理方法。
【請求項１４】
外部アクセスポイントに接続し、前記外部アクセスポイントを介して通信を行う無線クライアントとして通信装置を機能させる第１通信機能と、外部の通信装置と直接無線通信を行う第２通信機能とを有する第１の通信装置と、前記第１の通信装置が提供する前記第２通信機能を用いて前記第１の通信装置と直接無線通信を行う第２の通信装置と、を有する通信システムにおける情報処理方法であって、
前記第１の通信装置が、前記無線クライアントに関する設定変更を外部から受信する設定サービスの利用要求を受け付けた場合に、前記第１通信機能で所定タイプのデータ通信が行われているか否かを判定する判定工程と、
前記第１の通信装置が、前記判定工程によって前記第１通信機能で前記所定タイプのデータ通信が行われていると判定された後に、前記設定サービスが一時利用不可状態であることを示す第１情報を前記直接無線通信を確立している前記第２の通信装置に対して送信し、前記判定工程によって前記第１通信機能で前記所定タイプのデータ通信が行われていないと判定された後に、前記設定サービスが利用できることを示す第２情報を前記直接無線通信を確立している前記第２の通信装置に送信する送信工程と、
前記第２の通信装置が、前記第１の通信装置から前記直接無線通信を介して前記第１情報を受信した場合、前記設定サービスの利用ができないことを示す情報を表示する一方、前記第１の通信装置から前記直接無線通信を介して前記第２情報を受信した場合、前記設定サービスの利用ができることを示す情報表示する表示工程と、
前記第１の通信装置が、前記判定工程によって前記第１通信機能で前記所定タイプのデータ通信が行われていないと判定された場合に、前記設定サービスを起動する起動工程と、
を有することを特徴とする情報処理方法。
【請求項１５】
コンピュータを、請求項１乃至９のいずれか１項に記載の通信装置の各手段として機能させるためのプログラム。
【手続補正２】
【補正対象書類名】明細書
【補正対象項目名】０００５
【補正方法】変更
【補正の内容】
【０００５】
本発明の通信装置は、外部アクセスポイントに接続し、前記外部アクセスポイントを介して通信を行う無線クライアントとして通信装置を機能させる第１通信機能と、端末装置と直接無線通信を行う第２通信機能と、を備える通信装置であって、前記無線クライアントに関する設定変更を外部から受信する設定サービスの利用要求を受け付けた場合に、前記第１通信機能で所定タイプのデータ通信が行われているか否かを判定する第１の判定手段と、前記第１の判定手段によって前記第１通信機能で前記所定タイプのデータ通信が行われていると判定された後に、前記設定サービスが一時利用不可状態であることを示す第１情報を前記直接無線通信を確立している前記端末装置に対して送信し、前記第１の判定手段によって前記第１通信機能で前記所定タイプのデータ通信が行われていないと判定された後に、前記設定サービスが利用できることを示す第２情報を前記直接無線通信を確立している前記端末装置に送信する送信手段と、前記第１情報を前記端末装置に送信した後に前記端末装置から前記設定サービスの起動に関する第３情報を受信した場合に、前記設定サービスを起動する起動手段と、を有し、前記起動手段により起動された前記設定サービスは、前記直接無線通信を介して前記端末装置から接続情報を受信し、前記通信装置は、当該設定サービスによって受信した接続情報を用いて前記無線クライアントが接続する外部アクセスポイントを変更することを特徴とする。